(57)【要約】【課題】  環境に優しく低コストで海草類や海藻類を確実に生育できる海草類および海藻類の生育方法を提供すること。【解決手段】  多孔質天然素材１２と海底土壌１４と結合材１６とが混合されて形成された人工土壌１８を設け、小型パレット２０の各空間２００２に充填する。各空間２００２内の人工土壌１８に海水を含ませ、アマモの種子３０Ａを植え付ける。石膏からなる結合材１６は海水により結合力が発揮され、種子３０Ａが植え付けられた後に人工土壌１８は塊状態に結合され、固まる。つぎに、このパレット２０を海水中に設置し、水温を変化させて種子３０Ａに温度刺激を与え、発根および発芽させ、アマモの葉３０Ｂ、根３０Ｃを成育させる。つぎに、葉３０Ｂおよび根３０Ｃが生育したところで、船上から各空間２００２内の人工土壌１８を海底へ投入する。【選択図】        図３
2005087068.tif 000002
【特許請求の範囲】
【請求項１】
多孔質天然素材と、生育しようとする海草類あるいは海藻類が生育している海底土壌と、前記多孔質天然素材と海底土壌とを塊状態に結合させ保持させると共にこの塊状態が海水中で保持される保持力を有する天然素材からなる結合材とが混合されて形成された人工土壌を設け、
前記人工土壌に海水を含ませて生育しようとする海草類あるいは海藻類の種子を植え付け、
前記種子が植え付けられた人工土壌を海水中に設置し前記種子に温度変化を与えて前記人工土壌からの発根および発芽を促進し、
前記発根および発芽後に前記人工土壌上において根および葉を生育させ、
前記根および葉の生育後、人工土壌を船上から海底に投入するようにした、
ことを特徴とする海草類および海藻類の生育方法。
【請求項２】
多孔質天然素材と、生育しようとする海草類あるいは海藻類が生育している海底土壌と、前記多孔質天然素材と海底土壌とを塊状態に結合させ保持させると共にこの塊状態が海水中で保持される保持力を有する天然素材からなり船上から投入し易い程度の大きさで形成された多数の人工土壌を設け、
前記各人工土壌に海水を含ませて生育しようとする海草類あるいは海藻類の種子を植え付け、
前記種子が植え付けられた各人工土壌を海水中に設置し前記種子に温度変化を与えて前記人工土壌からの発根および発芽を促進し、
前記発根および発芽後に前記各人工土壌上において根および葉を生育させ、
前記根および葉の生育後、前記各人工土壌をそれぞれ海底に投入するようにした、
ことを特徴とする海草類および海藻類の生育方法。
【請求項３】
前記多孔質天然素材は貝殻、あるいは浅間石などの多孔性石材であることを特徴とする請求項１または２記載の海草類および海藻類の生育方法。
【請求項４】
前記結合材は石膏であり、前記結合材は前記種子を植え付ける際に用いられる前記海水により前記結合力が発揮され、前記種子が植え付けられた後に前記人工土壌は前記多孔質天然素材と海底土壌とを塊状態に結合させることを特徴とする請求項１または２記載の海草類および海藻類の生育方法。
【請求項５】
船上から投入し易い程度の大きさの容積を有する上部が開放された多数の空間を備えるパレットが用いられ、前記人工土壌は前記パレットの各空間に充填されることを特徴とする請求項１または２記載の海草類および海藻類の生育方法。
【請求項６】
海草類あるいは海藻類の種子を人工土壌に植え付ける前に、前記種子を、茶葉中のカテキン類を含む溶液に浸漬させておくことを特徴とする請求項１または２記載の海草類および海藻類の生育方法。
【発明の詳細な説明】
【技術分野】
【０００１】
本発明は海や湖にアマモ、小アマモ、エビアマモなどの海草類や、ワカメ、コンブ、アラメなどの海藻類を生育させる海草類および海藻類の生育方法に関する。
【背景技術】
【０００２】
海草類や海藻類は沿岸生態系の形成にとって極めて有用な役割を果たしている。
すなわち、海草類や海藻類が生育している箇所には多様な生物種が繁殖し、複雑な生態系が形成されている。
また、海草類や海藻類が生育している箇所は有用魚類の産卵場として、また、稚魚の生育場として、さらには、周辺に棲息する有用魚介類にとっても重要な役割を担っている。
しかし、近年の人為的埋め立て行為や水質汚濁の影響により、海草類や海藻類が生育している多くの箇所が消失しそうになっており、あるいは、消失してしまっている。
このようなことから、海草類や海藻類を強制的に生育させる復元技術の確立が重要性を帯びてきている。
【０００３】
海草類や海藻類のうち、例えば、アマモを例にとって説明すると、その増殖技術は、従来、大きく２つに大別される。
１つは株分けにより増殖させる方法であり、他の一つは播種により増殖させる方法である。
株分けにより増殖させる方法は、海底中に生育する海草類や海藻類の成体を人為的に採取し、１〜２株に株分けした後、これを海底中に潜水夫などを使って植え込む方法である。
【発明の開示】
【発明が解決しようとする課題】
【０００４】
しかしながらこの方法では、多くの株を海底に植え付ける作業に多くの潜水夫を使う必要があり（例えば、５０ｍ×５０ｍのアマモ場を復元するのに約１５０人程度のダイバーが必要となる）、実現する際にコスト的に困難となる。
また、他の一つの播種により増殖させる方法は、種子の発芽率の改善が課題となっており、実用段階に達しているとは言えない。
【０００５】
一方、海草類や海藻類のうち、例えばアマモは、海底の環境条件（光条件、流れ条件、底質条件など）が適正な場合に発根、発芽し、その後、地下茎によって増殖する多年生草本である。そして、生育場所の環境条件がよい場合地下茎で増殖するが、条件が悪くなった場合、種子のみで世代交代を繰り返す場合もある。
例えば、静岡県浜名湖奥部の猪鼻湖に生育するアマモ類は毎年１１〜１月ごろ海底の種子が発芽し、６月ごろまでの間生育を続ける。しかし、それ以降の水温の上昇や湖内の環境条件の悪化に合わせて枯死し、その年の１１月ごろまでは海底土中に種子として存在する。
一方、同じ静岡県浜名湖湖口部の舞阪町付近のアマモ類は、地下茎で増殖するため周年を通じて葉体を観察することができる。猪鼻湖内で採取したアマモの種子を舞阪町付近の水中に植栽したところ、２年目からは地下茎で増殖するようになったことから、この点は明らかである。
本発明はこのような海草類や海藻類の生態系に着目して案出されたものであって、本発明の目的は、低コストで海草類や海藻類を確実に生育できる海草類および海藻類の生育方法を提供することにある。
【課題を解決するための手段】
【０００６】
前記目的を達成するため本発明は、多孔質天然素材と、生育しようとする海草類あるいは海藻類が生育している海底土壌と、前記多孔質天然素材と海底土壌とを塊状態に結合させ保持させると共にこの塊状態が海水中で保持される保持力を有する天然素材からなる結合材とが混合されて形成された人工土壌を設け、前記人工土壌に海水を含ませて生育しようとする海草類あるいは海藻類の種子を植え付け、前記種子が植え付けられた人工土壌を海水中に設置し前記種子に温度変化を与えて前記人工土壌からの発根および発芽を促進し、前記発根および発芽後に前記人工土壌上において根および葉を生育させ、前記根および葉の生育後、人工土壌を船上から海底に投入するようにしたことを特徴とする。
また、本発明は、多孔質天然素材と、生育しようとする海草類あるいは海藻類が生育している海底土壌と、前記多孔質天然素材と海底土壌とを塊状態に結合させ保持させると共にこの塊状態が海水中で保持される保持力を有する天然素材からなり船上から投入し易い程度の大きさで形成された多数の人工土壌を設け、前記各人工土壌に海水を含ませて生育しようとする海草類あるいは海藻類の種子を植え付け、前記種子が植え付けられた各人工土壌を海水中に設置し前記種子に温度変化を与えて前記人工土壌からの発根および発芽を促進し、前記発根および発芽後に前記各人工土壌上において根および葉を生育させ、前記根および葉の生育後、前記各人工土壌をそれぞれ海底に投入するようにしたことを特徴とする。
【発明の効果】
【０００７】
本発明では、海草類や海藻類の根および葉を予め人工土壌で生育させた後、海草類や海藻類を人工土壌ごと海底へ投入するようにしたので、コストを掛けることなく海底へ海草類あるいは海藻類を確実に繁殖させることができる。
【発明を実施するための最良の形態】
【０００８】
塊状態が海水中で保持される人工土壌を用いることで、また、この人工土壌に予め海草類や海藻類の根および葉を生育させることで上記の目的を達成した。
【実施例１】
【０００９】
以下、海草類であるアマモ類を生育する場合に適用した本発明の実施例について図面を参照して説明する。
図１に示すように、多孔質天然素材１２と、生育しようとする海草類あるいは海藻類が生育している海底土壌１４と、多孔質天然素材１２と海底土壌１４とを結合させると共にこの結合状態が海水中で保持される保持力を有するの天然素材からなる結合材１６とが混合されて形成された人工土壌１８を設ける。
ここで、多孔質天然素材１２と、海底土壌１４と、結合材１６との配合割合は、例えば、１／３程度ずつとすればよい。
なお、多孔質天然素材１２を用いるのは、土壌中に多孔質のものを含むと人工土壌１８の空隙率が高くなり海草類あるいは海藻類が発根および発芽し易くまた生育し易いからであり、また、天然素材のものを用いると、環境を汚染しないからである。このような多孔質天然素材１２として、例えば、カキ殻、アコヤ貝殻、ホタテ貝殻などのような貝殻や、浅間石などの多孔性石材が挙げられる。この場合、海草類あるいは海藻類の根付き易いように最小粒径が３ｍｍ以上で５ｍｍ以下程度の大きさとしておくことが好ましい。
【００１０】
また、海草類あるいは海藻類が生育している海底土壌１４を用いるのは、海草類あるいは海藻類の発芽や生育を確実に行なわせるためである。なお、ワカメなどの海藻類では岩で生育するため、海藻類が生育している海底土壌１４とは、厳密には、海藻類が生育している岩やその付近の海底土壌を意味し、岩を用いる場合には、土壌として使用できるように砕いて用いる。
また、結合材１６を用いるのは、後述する海底への投入の際に、土壌が分解し海草類あるいは海藻類が土壌から離れていくのを阻止し、海草類あるいは海藻類を海底へ確実に根づかせるためであり、天然素材のものを用いるのは環境を汚染しないからである。
このような結合材１６として、例えば、石膏が挙げられる。結合材１６として石膏を用いる場合、水または海水が加えられることで石膏は結合機能を発揮するので、水または海水を含ませることなく多孔質天然素材１２と海底土壌１４と結合材１６とを混合したのみでは、石膏の結合機能が発揮されず塊状に結合され、固まらない。
【００１１】
次に、水や海水を含ませることなく多孔質天然素材１２と海底土壌１４と結合材１６とを混合した人工土壌１８を小型パレット２０に充填する。
この小型パレット２０には、後述する海底への投入を行ない易い大きさとなる容積の上方が開放された多数の空間２００２を有しており、人工土壌１８は各空間２００２に充填されることになる。
本実施例では、例えば、人工土壌の体積は５ｃｍ×５ｃｍ×５ｃｍ程度の約１２５ｃｍ３であり、重さは約２００ｇ程度である。
【００１２】
次に、各空間２００２内の人工土壌１８に海水を含ませ、アマモの種子３０Ａを植え付ける。
石膏からなる結合材１６は種子３０Ａを植え付ける際に用いられる海水により結合力が発揮されるので、種子３０Ａが植え付けられた後に人工土壌１８は、海底への投入を行ない易い大きさの塊状態に結合され、固まる。
なお、塊状態に結合され、固まった後の人工土壌１８に、例えば、孔を作って種子３０Ａを植え付けるようにしてもよいが、実施例のように固まる前の人工土壌１８に種子３０Ａを植え付ける方が植え付けが簡単になされる。
【００１３】
つぎに、このパレット２０を海水中に設置し、１日おきに水温を例えば、１５°C程度と８°C程度の間で変化させ、種子３０Ａに温度刺激を与える。
これにより種子３０Ａから発芽し、図２に示すように、各空間２００２内で人工土壌１８からアマモの葉３０Ｂおよび根３０Ｃが生育する。なお、海藻類の場合には葉と言わずに葉状部と言うので、本発明においては葉とは葉状部を含む概念である。
そして、図３に示すように、葉３０Ｂおよび根３０Ｃを充分に生育させる。
つぎに、葉３０Ｂおよび根３０Ｃが充分に生育したところで、例えば、葉３０Ｂが１０ｃｍ程度伸びてきたところで、図４に示すように、船上から各空間２００２内の人工土壌１８を、人力により、あるいは、機械的に海底へ投入する。
投入された人工土壌１８は、該人工土壌１８の重量により、葉３０Ｂが上向きとなって海底に着底される。
そして、着底された人工土壌１８は結合材１６により塊状態が保持され、人工土壌１８が分解されアマモが土壌から離れていくことが阻止される。
これによりアマモの葉３０Ｂおよび根３０Ｃは人工土壌１８において生育していき、やがて地下茎が増殖することでアマモは周囲の海底や湖底に繁殖していくことになる。
【００１４】
つぎに、本実施例について行なった実験について説明する。
一辺が５ｃｍで深さが５ｃｍの上面が開放された立方体状の複数の小空間を有する小型パレットを複数用意し、各小型パレットの小空間に、人工土壌を満たし、海水と３個のアマモ種子とを入れ、各小空間毎にかき混ぜ、約１０分放置することで、アマモ種子が入った塊状の人工土壌１８を得た。
各小空間の人工土壌１８の成分は以下の通りである。
比較例１：石膏１／２、海底土壌１／２
比較例２：カキ殻１／２、海底土壌１／２
実施例１：微細状（Φ１〜３ｍｍ）にしたカキ殻１／３、海底土壌１／３、石膏１／３
実施例２：粗目（Φ３〜５ｍｍ）にしたカキ殻１／３、海底土壌１／３、石膏１／３
つぎに、これらの小型パレットを海水の入った水槽に浸漬し、水温条件を８℃として２日間放置した。つぎに、水温条件を１５℃として２日間放置した。この工程を４回繰り返して行ない、合計１６日間の温度変化刺激を与えた。
その後、発芽が確認され、発芽率は以下の通りとなった。
比較例１：５％
比較例２：８５％
実施例１：６０％
実施例２：７５％
その後、発芽が確認されたものについては、水温条件を１５℃に維持することで、成長の経過が見られた。
発芽した種子はそれぞれ成長を続け、実施例２の場合、発芽後、３０日で葉長が約２０ｃｍとなり、その後、成長は止まり、発芽６０日目で葉長は２５ｃｍであった。
比較例２については、発芽率が最も高いものの、小型パレット内の人工土壌が塊状態に固まらないため、船上から海底への苗の投入が困難と考えられる。
一方、実施例１、２の場合は、成長したアマモ葉及び根と、塊状態に固まった人工土壌とが一体化しており、船上から海底へ苗の投入が可能と考えられる。
【００１５】
したがって、本実施例によれば、アマモの葉３０Ｂおよび根３０Ｃを予め人工土壌１８で生育させた後、アマモをこの人工土壌１８ごと海底へ投入するようにしたので、コストを掛けることなく海底へ確実にアマモを繁殖させることができる。
また、人工土壌１８は、多孔質天然素材１２と、海底土壌１４と、天然素材からなる結合材１６とから構成されているので、アマモを繁殖させるに際して海底や湖底を汚染する不具合もない。
【００１６】
なお、アマモ種子の発芽制限要因としてアマモ種子表面に着生する水中のカビ類の発生が考えられる。
そこで、アマモの種子３０Ａを人工土壌１８に植え付ける前に、茶葉中のカテキン類を含む溶液（１００ｃｃの湯に１００ｇ〜２００ｇ程度の天然茶葉を入れ、１時間以上煮込み、茶葉中のカテキン類を抽出した溶液）にアマモ種子３０Ａを、例えば、５〜６時間程度浸漬させておく。
以上のような前処理をアマモの種子３０Ａに施しておくと、上述のようなカビ類の発生を阻止する上で好ましい。
この前処理を行なったアマモの種子３０Ａを用いた場合と、この前処理を行なっていないアマモの種子３０Ａを用いた場合の発芽率について実験を行なったところ、前処理を行なったアマモの種子３０Ａを用いた場合の発芽率が約７０％であるのに対して、この前処理を行なっていないアマモの種子３０Ａを用いた場合の発芽率は約１０％であった。
【００１７】
また、上記の実施例では、海草類であるアマモを例にとって説明したが、本発明は、その他、小アマモ、エビアマモなどの海草類や、ワカメ、コンブ、アラメなどの海藻類を生育させる場合に広く適用される。
【図面の簡単な説明】
【００１８】
【図１】人工土壌の説明図である。
【図２】アマモの生育状態の説明図である。
【図３】アマモの生育状態の説明図である。
【図４】人工土壌を海底に投入する説明図である。
【符号の説明】
【００１９】
１２……多孔質天然素材、１４……海底土壌、１６……結合材、１８……人工土壌、２０……パレット、３０Ａ……アマモの種子、３０Ｂ……アマモの葉、３０Ｃ……アマモの根。
【図１】
2005087068.tif 000003
【図２】
2005087068.tif 000004
【図３】
2005087068.tif 000005
【図４】
2005087068.tif 000006